(57)【要約】  本発明は、吸収性製品(3)の状態に関するデータを収集および記憶するためのプロセスに関し、プロセスは、サーバユニット(12)において、前記状態に関する測定データを受信するステップと、第1のデータベース(13)に前記測定データを記憶するステップと、前記測定データをそれが前記状態を分析するように構成された少なくとも1つのアプリケーションプログラムによって使用され得るフォーマットに適合させるステップとを含む。本発明によれば、そのプロセスは、適合した測定データを第2のデータベース(14)に記憶するステップと、前記測定データを分析するように配置された少なくとも1つのアプリケーションプログラム(16)から前記第2のデータベース(14)へのアクセスを提供するステップとを含む。本発明はまた、失禁関連データを収集および記憶するための配列に関する。
2016527582.tif 000002
【特許請求の範囲】
【請求項１】
吸収性製品(3)の状態に関するデータを収集および記憶するためのプロセスであって、
サーバユニット(12)において、前記状態に関する測定データを受信するステップと、
第1のデータベース(13)に前記測定データを記憶するステップと、
前記測定データをそれが前記状態を分析するように構成された少なくとも1つのアプリケーションプログラムによって使用され得るフォーマットに適合させるステップと
を含み、
前記適合した測定データを第2のデータベース(14)に記憶するステップと、
前記測定データを分析するように配置された少なくとも1つのアプリケーションプログラム(16)から前記第2のデータベース(14)へのアクセスを提供するステップと
をさらに含むことを特徴とする、プロセス。
【請求項２】
前記サーバユニット(12)において、前記吸収性製品(3)の水分状態に関する測定データを受信するステップ
をさらに含むことを特徴とする、請求項1に記載のプロセス。
【請求項３】
前記サーバユニット(12)において、前記吸収性製品(3)の電気特性に関する測定データを受信するステップ
をさらに含むことを特徴とする、請求項2に記載のプロセス。
【請求項４】
前記サーバユニット(12)において、前記電気特性に関する情報、およびタイムスタンプおよびセンサデバイス(2)の識別コードを各々備える個々の測定サンプルによって構成される測定データを受信するステップ
をさらに含むことを特徴とする、請求項3に記載のプロセス。
【請求項５】
前記第1のデータベース(13)内の前記測定データにアクセスすることと、測定の期間および前記センサデバイス(2)の識別コードを定義することとによって、前記吸収性製品(3)を使用する個人に測定データを連結するステップ
を含むことを特徴とする、請求項1から4のいずれか一項に記載のプロセス。
【請求項６】
状態に関する測定データを受信するためのサーバユニット(12)と、
前記測定データを記憶するための第1のデータベース(13)と、
前記測定データをそれが前記状態を分析するように構成された少なくとも1つのアプリケーションプログラムによって使用され得るフォーマットに適合させるように構成された翻訳サービス(15)と
を備え、
前記適合された測定データを記憶するための第2のデータベース(14)
をさらに備え、そこにおいて、
前記第2のデータベース(14)が、前記測定データを分析するように配置された少なくとも1つのアプリケーションプログラム(16)からのアクセスを可能にするように構成されたることを特徴とする、
吸収性製品(3)の状態に関するデータを収集および記憶するための配列。
【請求項７】
吸収性製品(3)の状態に関するデータが、失禁製品(3)のデータを備えることを特徴とする、請求項6に記載の配列。
【請求項８】
センサデバイス(2)において、状態に関する測定データを測定するステップと、
前記センサデバイス(2)の部分を形成するメモリユニット(7)において前記測定データを記憶するステップと
を含み、
送信リンクが前記測定データを受信機(12)に送信するように定義され得るかどうかを検査するステップと、そうである場合に、
前記測定データを前記受信機(12)に送信するステップと
をさらに含むことを特徴とする、吸収性製品(3)の状態に関するデータを測定および記憶するためのプロセス。
【請求項９】
前記センサデバイス(2)において、前記吸収性製品(3)の水分状態に関する測定データを測定するステップ
を含むことを特徴とする、請求項8に記載のプロセス。
【請求項１０】
前記センサデバイス(2)において、伝導性に関する測定データを測定するステップ
を含むことを特徴とする、請求項9に記載のプロセス。
【請求項１１】
前記測定データの個々の測定サンプルに時間情報および前記センサデバイス(2)の識別コードを割り当てるステップ
を含むことを特徴とする、請求項8から10のいずれか一項に記載のプロセス。
【請求項１２】
公衆交換電話網(9)で前記測定データを送信するステップ
を含むことを特徴とする、請求項8から11のいずれか一項に記載のプロセス。
【請求項１３】
前記測定データが前記受信機(12)によって受信されたことを指示する受信確認信号を前記受信機(12)から受信するステップを含むことを特徴とする、請求項8から12のいずれか一項に記載のプロセス。
【請求項１４】
状態に関する測定データを獲得するように構成された検出器(4)と、
前記測定データを記憶するためのメモリユニット(6)と
を備え、
送信リンクが前記測定データを受信機(12)に送信するように定義され得るかどうかを検査し、そうである場合に、
前記測定データを前記受信機(12)に送信する送受信ユニット(8)
をさらに備えることを特徴とする、吸収性製品(3)の状態に関するデータを測定および記憶するためのセンサデバイス(2)。
【請求項１５】
前記吸収性製品(3)のユーザの失禁の状態に関する測定データを提供するための少なくとも1つの水分検出器(4)を備えることを特徴とする、請求項14に記載のセンサデバイス(2)。
【請求項１６】
前記センサデバイス(4)が、前記吸収性商品(3)のユーザに割り当てられ得る識別を支持することを特徴とする、請求項14または15に記載のセンサデバイス(2)。
【請求項１７】
前記送受信ユニット(8)が、前記検出器(4)から前記通信ネットワーク(9、11)にデータを送信するように配置された、請求項14から16のいずれか一項に記載のセンサデバイス(2)。
【請求項１８】
前記サーバユニット(12)が、前記測定データが前記サーバユニット(12)によって受信されたことを指示する前記センサユニット(2)への受信確認信号を送信するように配置されることを特徴とする、請求項14から17のいずれか一項に記載のセンサデバイス(2)。
【請求項１９】
前記センサデバイス(2)が、前記受信確認信号の受信時に前記メモリユニット(6)が新しいデータで上書きされることを可能にするように配置されることを特徴とする、請求項18に記載のセンサデバイス(2)。
【請求項２０】
前記吸収性製品(3)に連結されるまたは前記吸収性製品(3)から取り除かれるときにあるいは充電器に接続されるときに、記憶された測定データを送信するように構成されることを特徴とする、請求項14から19のいずれか一項に記載のセンサデバイス(2)。
【請求項２１】
各々が、測定データの送信のために通信ネットワーク(9、11)とワイヤレスに通信するための送受信ユニット(8)を備え、
吸収性商品(3)に連結されるように配置され、前記吸収性商品(3)の状態を監視するための少なくとも1つの検出器(4)および前記監視に関連する測定データを記憶するためのメモリユニット(6)も備える、少なくとも1つのセンサデバイス(2)と、
前記測定データを受信するために前記通信ネットワーク(9、11)と通信するようにやはり配置されたサーバユニット(12)と、
前記サーバユニット(12)と通信する、前記測定データを記憶するように構成された、データベース配列(13、14)と
を備え、
前記データベース配列(13、14)が、前記サーバユニット(12)によって受信された前記測定データの中間記憶装置を備えることと、
前記データベース配列(13、14)が、前記測定データを分析するように配置された少なくとも1つのアプリケーションプログラムからアクセスされるように配置されることと
を特徴とする、吸収性製品(3)の状態に関するデータを測定、収集および記憶するためのシステム(1)。
【請求項２２】
失禁関連データを収集および記憶するように配置されることを特徴とする、請求項21に記載のシステム(1)。
【請求項２３】
前記センサデバイス(2)が、前記吸収性商品(3)の電気特性を検出するように適合された検出器(4)を少なくとも備えることを特徴とする、請求項21または22に記載のシステム(1)。
【請求項２４】
前記センサデバイス(2)が、前記吸収性商品(3)に着脱自在に留めるための締結デバイスを備えることを特徴とする、請求項23に記載のシステム(1)。
【請求項２５】
前記センサデバイス(2)が、前記検出器(4)から前記通信ネットワーク(9、11)にデータを送信するように配置された送受信ユニット(8)を備えることを特徴とする、請求項21から24のいずれか一項に記載のシステム(1)。
【請求項２６】
前記通信ネットワーク(9、11)が公衆交換電話網(9)を備えることを特徴とする、請求項21から25のいずれか一項に記載のシステム(1)。
【請求項２７】
前記センサデバイス(4)が、前記吸収性商品(3)のユーザに割り当てられ得る識別を支持することを特徴とする、請求項21から26のいずれか一項に記載のシステム(1)。
【請求項２８】
前記センサデバイス(2)が、前記吸収性商品(3)に取り付けられるときに、前記監視を開始するように構成されることを特徴とする、請求項21から27のいずれか一項に記載のシステム(1)。
【請求項２９】
前記データベース配列(13、14)が、前記検出器(4)からの前記測定データを記憶するための第1のデータベース(13)と、前記少なくとも1つのアプリケーションプログラムからアクセスされるデータを記憶するための第2のデータベース(14)とを備えることを特徴とする、請求項21から28のいずれか一項に記載のシステム(1)。
【請求項３０】
前記サーバユニット(12)が、前記測定データが前記サーバユニット(12)によって受信されたことを指示する前記センサデバイス(2)への受信確認信号を送信するように配置されることを特徴とする、請求項21から29のいずれか一項に記載のシステム(1)。
【請求項３１】
前記センサデバイス(2)が、前記メモリユニット(6)が前記受信確認信号の受信時に新しいデータで上書きされることを可能にするように配置されることを特徴とする、請求項30に記載のシステム(1)。
【請求項３２】
各々が吸収性商品(3)に連結されるように配置された、複数のセンサデバイス(2)を提供するステップと、
前記センサデバイス(2)の部分を形成する検出器(4)を使用することと、前記検出器(4)から測定データを収集することおよび前記測定データの送信のために通信ネットワーク(9、11)とワイヤレスに通信することとによって前記吸収性商品(3)の状態を監視するステップと、
前記センサデバイス(2)に関連するメモリユニット(4)において前記測定データを記憶するステップと、
前記通信ネットワーク(9、11)と通信するように配置されたサーバユニット(12)において前記測定データを受信するステップと、
前記サーバユニット(12)と通信するデータベース配列(13、14)に前記測定データを記憶するステップと
を含み、
前記データベース配列(13、14)において中間方式で前記測定データを記憶するステップと、
前記測定データを分析するように配置された少なくとも1つのアプリケーションプログラムから前記データベース配列(13、14)へのアクセスを提供するステップと
をさらに含むことを特徴とする、吸収性商品の状態に関するデータを測定、収集および記憶するためのプロセス。
【請求項３３】
前記センサデバイス(2)内の伝導性検出器(4)を用いて前記吸収性商品(3)の伝導性を監視するステップ
を含むことを特徴とする、請求項32に記載のプロセス。
【請求項３４】
前記センサデバイス(2)内の送受信機(8)を使用することによって前記検出器(2a)から前記通信ネットワーク(9、11)にデータを送信するステップ
を含むことを特徴とする、請求項32または33に記載のプロセス。
【請求項３５】
前記吸収性商品(3)のユーザに前記センサデバイス(2)の識別を割り当てるステップ
を含むことを特徴とする、請求項32から34のいずれか一項に記載のプロセス。
【請求項３６】
前記センサデバイス(2)が前記吸収性商品(3)に取り付けられるときに前記監視を開始するステップ
を含むことを特徴とする、請求項32から35のいずれか一項に記載のプロセス。
【請求項３７】
第1のデータベース(13)に前記検出器(4)からの前記測定データを記憶するステップと、
第2のデータベース(14)に前記少なくとも1つのアプリケーションプログラムからアクセスされるデータを記憶するステップと
を含むことを特徴とする、請求項32から36のいずれか一項に記載のプロセス。
【請求項３８】
前記測定データが前記サーバユニット(12)によって受信されたことを指示する前記サーバユニット(12)から前記センサユニット(2)への受信確認信号を送信するステップ
を含むことを特徴とする、請求項32から37のいずれか一項に記載のプロセス。
【発明の詳細な説明】
【技術分野】
【０００１】
本発明は、吸収性製品の状態に関するデータを収集および記憶するためのプロセスに関し、前記プロセスは、前記状態に関する測定データを、サーバユニットにおいて、受信するステップと、第1のデータベースに前記測定データを記憶するステップと、前記測定データをそれが前記状態を分析するように構成された少なくとも1つのアプリケーションプログラムによって使用され得るフォーマットに適合させるステップとを含む。
【０００２】
本発明はまた、吸収性製品の状態に関するデータを収集および記憶するための配列に関し、配列は、前記状態に関する測定データを受信するためのサーバユニットと、前記測定データを記憶するための第1のデータベースと、前記測定データをそれが前記状態を分析するように構成された少なくとも1つのアプリケーションプログラムによって使用され得るフォーマットに適合させるように構成された翻訳サービスとを備える。
【０００３】
本発明はまた、吸収性製品の状態に関するデータを測定および記憶するためのプロセスに関し、プロセスは、センサデバイスにおいて、前記状態に関する測定データを測定するステップと、前記センサデバイスの部分を形成するメモリユニットにおいて前記測定データを記憶するステップとを含む。
【０００４】
また、本発明は、吸収性製品の状態に関するデータを測定および記憶するためのセンサデバイスに関し、センサデバイスは、前記状態に関する測定データを獲得するように構成された検出器と、前記測定データを記憶するためのメモリユニットとを備える。
【０００５】
さらに、本発明は、吸収性製品の状態に関するデータを収集および記憶するためのシステムに関し、システムは、吸収性商品に連結されるように配置され、前記吸収性商品の前記状態を監視するための少なくとも1つの検出器および前記監視に関連する測定データを記憶するためのメモリユニットを備える少なくとも1つのセンサデバイスであって、各々が前記測定データの送信のために通信ネットワークとワイヤレスに通信するための送受信ユニットも備えるセンサデバイスと、前記測定データを受信するために前記通信ネットワークと通信するようにやはり配置されたサーバユニットと、前記サーバユニットと通信し、前記測定データを記憶するように構成されたデータベース配列とを備える。
【０００６】
最後に、本発明は、吸収性商品の状態に関するデータを測定、収集および記憶するためのプロセスに関し、プロセスは、吸収性商品に着脱自在に取り付けられるように各々配置された、複数のセンサデバイスを提供するステップと、前記センサデバイスの部分を形成する検出器を用いて、そして前記検出器から測定データを収集することおよび前記測定データの送信のために通信ネットワークとワイヤレスに通信することによって、前記吸収性商品の前記状態を監視するステップと、センサデバイスの部分を形成するメモリユニットに前記測定データを記憶するステップと、前記通信ネットワークと通信するように配置されたサーバユニットにおいて前記測定データを受信するステップと、前記サーバユニットと通信するデータベース配列において前記測定データを記憶するステップとを含む。
【背景技術】
【０００７】
今日、失禁、すなわち膀胱または腸内容物の自発的ではない、制御されていない排出を患う人が世界中に多数存在する。たとえば、病院、介護施設および同様の施設にいる高齢の寝たきりの人が失禁を患い、その結果として、トイレを訪れる必要性を常には予期するまたは制御することができないことは、比較的一般的である。このため、そのような人々にとって、失禁パッドまたは失禁パンツなどの吸収性製品を使用することは一般的である。そのような人々が、失禁パッドを変えることが必要かどうかを手動で確認するために看護師または他の介護者の支援を必要とすることもまた、一般的である。
【０００８】
失禁を患う人にとって、そしてまた介護者、補助者および親族にとっての両方で、失禁に関するケアを最適化することができることは一般に必要とされている。たとえば、失禁パッドの着用者が発作の後に長時間そのような失禁パッドを着用する必要がないことが望ましい。サイズ、吸収性容量などのパラメータに関して適している失禁パッドを使用することは失禁を患う人にとって一般的要求事項でもある。失禁製品のユーザに彼らの使用に関する案内および支援を提供することもまた一般的要求事項である。これらの対策の究極の目的は、そのような人々が、たとえ彼らが失禁を患っても、質の高い生活を維持することを可能にすることである。
【０００９】
病院および同様のものにおいて、介護者のために、および管理者のために、失禁に関するおよび患者のグループ内の失禁製品の使用に関する傾向、パターンおよび行動を分析することもまた必要とされている。そのような分析の目的は、失禁を患う人のケアおよび生活の質を改善することである。たとえば、病院内のそのような人が、濡れた失禁パッドとともに長時間放置される状況は、それが不快をもたらすことになるため、そしてそれがその特定の人の皮膚炎などの健康上の問題を引き起こし得るため、満足できるものではない。看護師および他の関係者の人材の配置を計画および最適化することができることもまた、失禁ケアに関係する施設および企業に必要とされている。
【００１０】
前述の問題に対処するために、失禁に関する状態を検出するためのシステムおよびデバイスが、以前に開発された。たとえば、失禁製品においてある特定のレベルの水分が生じる時点を指示するために、失禁製品に関連して使用され得るセンサが存在する。そのような指示は、問題の失禁製品を変える適切な時間を理解するのを助けるために、看護師または介護者によって使用され得る。
【００１１】
特許文書WO2011/054045は、1人または複数の人に関連する検出器の使用に基づく失禁を監視するためのシステムを開示する。その検出器は、関係する人々の失禁状況を監視するために看護師または介護者によって使用され得る、対応する随意調節センサからモバイル表示装置に随意調節関連データを含む信号を送信するように配置された送信機と関連する。
【００１２】
WO2011/054045によるシステムは、失禁を患う人の状況を監視するために有用であるが、たとえば病院または介護施設内の、何人かの人々の失禁状況を監視するための改良されたシステムおよび方法がまだ必要とされている。目標は、そのような人々の生活の質を改善することであり、これは、失禁製品の使用を監視することによっておよびそのような使用を分析することによって、達成することができる。さらなる目標は、失禁商品の何人かの使用者、たとえば病院または介護施設内の患者、に由来する失禁関連データを測定および分析する柔軟な信頼できる方法を提供することである。
【先行技術文献】
【特許文献】
【００１３】
【特許文献１】国際公開第２０１１／０５４０４５号
【発明の概要】
【発明が解決しようとする課題】
【００１４】
したがって、前述の問題を解決することと、吸収性商品の状態に関する改良されたデータ収集および記憶のための配列および方法を提供することとが、本発明の目的である。一実施形態によれば、この状態は、商品の着用者の失禁による前記吸収性商品の水分に関する。本発明は、より効率的な失禁ケア、そしてまた、病院、ケア施設および同様の環境におけるスタッフのプランニングを可能にすることを目的とする。特に、本発明は、何人かの個人についての、アプリケーションプログラムを用いて測定データを分析するための失禁関連パラメータを監視することによって、前記問題を解決することを目的とする。
【００１５】
特に、外部アプリケーションプログラムからの前記測定データへのアクセス中に、そのような測定データの明快かつ正確な分析を可能にするために、測定データの効率的転送および記憶のための方法およびデバイスを提供することが、特に、本発明の目的である。
【課題を解決するための手段】
【００１６】
これらのおよび他の目的は、吸収性製品の状態に関するデータを収集および記憶するためのプロセスによって達成され、前記プロセスは、前記状態に関する測定データを、サーバユニットにおいて、受信するステップと、第1のデータベースに前記測定データを記憶するステップと、前記測定データをそれが前記状態を分析するように構成された少なくとも1つのアプリケーションプログラムによって使用され得るフォーマットに適合させるステップとを含む。本プロセスはさらに、適合した測定データを第2のデータベースに記憶するステップと、前記測定データを分析するように配置された少なくとも1つのアプリケーションプログラムから前記第2のデータベースへのアクセスを提供するステップとを含む。
【００１７】
本目的はまた、吸収性製品の状態に関するデータを収集および記憶するための配列によって達成され、配列は、前記状態に関する測定データを受信するためのサーバユニットと、前記測定データを記憶するための第1のデータベースと、前記測定データをそれが前記状態を分析するように構成された少なくとも1つのアプリケーションプログラムによって使用され得るフォーマットに適合させるように構成された翻訳サービスとを備える。
【００１８】
本目的はまた、吸収性製品の状態に関するデータを測定および記憶するためのプロセスによって達成され、プロセスは、センサデバイスにおいて、前記状態に関する測定データを測定するステップと、前記センサデバイスの部分を形成するメモリユニットに前記測定データを記憶するステップとを含む。本発明によれば、前記プロセスはさらに、送信リンクが前記測定データを受信機に送信するように定義され得るかどうかを検査するステップと、そうである場合に、前記測定データを前記受信機に送信するステップとを含む。
【００１９】
本目的はまた、吸収性製品の状態に関するデータを測定および記憶するためのセンサデバイスによって達成され、センサデバイスは、前記状態に関する測定データを獲得するように構成された検出器と、前記測定データを記憶するためのメモリユニットとを備える。本発明によれば、前記センサデバイスはさらに、送信リンクが前記測定データを受信機に送信するように定義され得るかどうかを検査することと、そうである場合に、前記測定データを前記受信機に送信することとを行うための送受信ユニットを備える。
【００２０】
本目的はまた、吸収性製品の状態に関するデータを測定、収集および記憶するためのシステムによって達成され、システムは、吸収性商品に着脱自在に取り付けられるように配置され、前記吸収性商品の前記状態を監視するための少なくとも1つの検出器および前記監視に関連する測定データを記憶するためのメモリユニットを備える、少なくとも1つのセンサデバイスであって、各々が前記測定データの送信のために通信ネットワークとワイヤレスに通信するための送受信ユニットもまた備えるセンサデバイスと、前記測定データを受信するために前記通信ネットワークと通信するようにやはり配置されたサーバユニットと、前記サーバユニットと通信する、前記測定データを記憶するように構成されたデータベース配列とを備える。本発明によれば、そのデータベース配列は、前記サーバユニットによって受信される前記測定データの中間記憶装置を備え、そして、前記データベース配列は、前記測定データを分析するように配置された少なくとも1つのアプリケーションプログラムからアクセスされるように配置される。
【００２１】
最後に、本発明の目的はまた、吸収性商品の状態に関するデータを測定、収集および記憶するためのプロセスによって達成され、プロセスは、吸収性商品に連結されるように配置された少なくとも1つのセンサデバイスを提供するステップと、前記センサデバイスの部分を形成する検出器を用いることと、前記検出器から測定データを収集することおよび前記測定データの送信のために通信ネットワークとワイヤレスに通信することとによって、前記吸収性商品の前記状態を監視するステップと、センサデバイスの部分を形成するメモリユニットにおいて前記測定データを記憶するステップと、前記通信ネットワークと通信するように配置されたサーバユニットにおいて前記測定データを受信するステップと、前記サーバユニットと通信するデータベース配列において前記測定データを記憶するステップとを含む。本発明によれば、そのプロセスはさらに、前記測定データを前記データベース配列に記憶するステップと、前記測定データを分析するように配置された少なくとも1つのアプリケーションプログラムから前記データベース配列へのアクセスを提供するステップとを含む。
【００２２】
本発明は、それが、失禁を患う人の生活の質を改善する病院における失禁関連ケアに関する有用な情報を提供するために使用され得るという点で、利点を提供する。特に、本発明は、そのような測定の測定データを処理および記憶する改良された方法をもたらす。
【００２３】
本発明は、ある特定の中間記憶ユニットが測定データのために定義され得るという洞察に依存する。第一に、測定データは、センサデバイスがサーバユニットへの送信を待つ間に、センサデバイスにおいて記憶され得る。前記データが分析プロセスで使用される場合にも破棄されない未加工の測定データの記憶を実現するデータベース配列内のさらなる中間記憶装置もまた存在する。実際に、データベース配列に記憶された前記未加工の測定データは、破棄されることなしに、さらなる、修正分析プロセスにおいて使用され得る。また、前記測定データは、次いで、安全な送信リンクが確立されたときに、後に送信することができるので、センサデバイス内の中間記憶装置は、送信リンクがセンサデバイスからサーバユニットに確立され得ない場合に有用である。要約すると、これらの中間記憶ユニットの両方が、たとえば、外部アプリケーションプログラムを用いて、測定データを取得するためのおよび分析するための安全な、信頼できるプロセスを可能にする。
【００２４】
本センサデバイスは、吸収性製品の状態の少なくとも1つの検出器を備える。例示的一実施形態によれば、その検出器は、たとえば伝導性、抵抗またはインピーダンスなどの電気特性を検出するように配置される。さらに、本実施形態によれば、前記状態は、失禁パッドなどの吸収性製品の着用者の失禁に関する。したがって、電気特性の検出器は、吸収性製品の材料の水分に関する測定結果を提供するように適切に構成される。加えて、本センサデバイスは、失禁商品のユーザが今のところ座っているまたは横になっているかどうかを判定することと、また、ユーザがどの体位をとったかに関する情報を提供することとをその目的とする、加速度計などの他の検出器を備えることができる。
【００２５】
また、本センサは、内蔵型電池がそれの適切な動作電圧より低い電圧レベルを有するときに信号を出すために、電池レベル標識を備え得る。
【００２６】
一実施形態によれば、本センサデバイスは、データを検出器から通信ネットワークに送信するように配置された送受信ユニットを備える。一実施形態によれば、その通信ネットワークは、携帯電話網などの公衆交換電話網の形で設計される。従来のタイプの電話網を使用することによって、本発明は、信頼でき、低コストである携帯電話網の規格で従来の送受信ユニットによって実装され得る。
【００２７】
本センサデバイスは、前記吸収性商品のユーザに連結され得る識別コードと関連し得る。これは、個々の人々のその後の分析が改善され得ることを意味する。
【００２８】
一実施形態によれば、そのデータベース配列は、検出器からの前記測定データを記憶するための第1のデータベースと、少なくとも1つのアプリケーションプログラムからアクセスするためにデータを記憶するための第2のデータベースとを備える。これは、アプリケーションプログラムを介する前記測定データへのアクセスを必要とするユーザが、第2のデータベースに接続されることを意味し、ここにおいて、センサデバイスからサーバユニットにアップロードされる測定データは前記第1のデータベースに記憶される。
【００２９】
本発明は、男性のまたは女性の失禁プロテクタなどの衛生用品に関連して使用するのに適するが、原則として、失禁を患う個人によって使用される他の吸収性製品でも使用され得ることに留意されたい。
【図面の簡単な説明】
【００３０】
本発明は、実施形態および添付の図面を参照して以下に説明される。
【００３１】
【図１】センサデバイスが取り付けられ得る失禁パッドなどの吸収性商品を示す図である。
【図２】本発明が実装され得る配列を概略的に示す図である。
【図３】本発明を用いて取得された測定データが、失禁シナリオのその後の分析でどのように使用され得るかを示す流れ図である。
【発明を実施するための形態】
【００３２】
図1は、それにより本発明が実装され得る配列を簡略化された形で示す。本発明は、吸収性商品のある特定の状態またはパラメータに関連するデータを監視、収集および分析するために使用することを意図されている。一実施形態によれば、前記データは、吸収性商品のユーザの失禁に関する。そのようなユーザは、病院、ケア施設または同様の施設にいる患者、あるいは、自宅または失禁関連データを監視する必要がある他の環境にいる他の個人の形でもよい。
【００３３】
本発明は、図1に示すように、いくつかのセンサデバイス2の使用に基づく。これらのセンサデバイス2の各々は、適宜に失禁パッドの形の、吸収性商品3に取り付けられるように構成された比較的小さい、携帯型のユニットによって構成される。センサデバイス2は、対応するユーザの失禁の標識である少なくとも1つの状態またはパラメータを監視するように配置される。本実施形態によれば、センサデバイス2は、吸収性商品3のある特定の状態の標識である吸収性商品3の電気特性を測定するように適合された少なくとも1つの検出器4を備える。一実施形態によれば、検出器4は、吸収性商品3における伝導性の測定を提供するように配置された伝導性検出器である。代替で、インピーダンスまたは抵抗測定などの他の測定が、伝導性の測定を実現するために、使用され得る。
【００３４】
本実施形態によれば、検出器4は、吸収性商品3に組み込まれた、いくつかの電気導線5、糸、プリント回路経路または他の適切な導体素子を適切に備える。吸収性商品3が濡れた場合、導体素子5の間の電気抵抗は、導体素子5の間に形成される導電性の経路により減る。これは、その商品3の伝導性の測定結果として検出することができる。導体素子5は、適切な電気または誘導結合(詳細には図示せず)を用いて、センサデバイス2に接続される。検出器4を用いて測定されるものとしての吸収性商品3の伝導性は、吸収性商品3における水分または湿気を測定するので、それは、ユーザの失禁の程度の尺度である。検出器4を動作させるために、センサデバイス2は電池(図示せず)を支持する。
【００３５】
代替で、センサデバイス2は、吸収性商品3の別の適切な状態を示す検出器を代替で備えることができる。たとえば、その検出器は、ガス検出器、pH検出器または温度検出器によって構成され得る。
【００３６】
センサデバイス2が部分を形成する配列の概略図である図2をさらに参照すると、電気特性検出器3が、ある特定の時間間隔で、適宜には毎秒1回、伝導性を測定するように配置されるが、他のサンプリングレートもまた、本発明の範囲内で起こり得ることに留意されたい。より短い間隔が使用される場合、処理するデータの量を増加させることになり、それはセンサデバイスのコストを増加させるので、不利になり得る。生成されるデータの量は比較的少ないが、測定サンプルを提供する起こり得る方法は、伝導性の変化が生じたときにのみ伝導性を測定することである。しかし、毎秒約1回の測定であるサンプリングレートでの伝導性の概して連続的な測定は、質という観点からすれば有利である。
【００３７】
特定の一実施形態によれば、測定プロセスのサンプリング頻度は、電気特性の変化が生じるときに増え得る。これは、吸収性商品3の状態に関する情報が、ある特定の変化が生じるときに、より詳細になり得ることを意味する。
【００３８】
さらに、測定値は、センサデバイス2のメモリユニット6に記憶される。メモリユニット6は、適宜に、フラッシュメモリデバイスまたは同様のメモリデバイスである。適宜に、各測定値は、大量のデータのその後の詳細な分析が行われ得るように、その値が測定されるときに、すなわちその値が測定または記憶されるときにではなく、タイムスタンプに割り当てられる電気特性値と識別コードとによって定義される。
【００３９】
要約すると、センサデバイス2は、検出器4を用いて前記吸収性商品3において、たとえば伝導性、抵抗またはインピーダンスなど、電気特性の値を測定することによって、吸収性商品3に関する水分事象を監視するために使用される。その測定は、好ましくは、毎秒1回の測定サンプリングのレートで実行される。これに関連して、「測定データ」という用語は、いくつかのサンプリングされた伝導性値を示し、各々が、時間情報および識別用語と関連付けられる。
【００４０】
さらに、センサデバイス2は、識別コードに関する情報がそれのメモリユニット6に記憶されるように配置される。これは、特定のセンサデバイス2が、前記吸収性商品3のユーザの識別に連結される(それの識別コードを介して)ことを可能にする。これは、特定の個人の失禁状況のその後の分析が実行され得ることを意味する。
【００４１】
さらなる検出器、たとえば加速度計、が、失禁に関する測定データを提供するために、センサデバイス2で使用され得る。加速度計は、その失禁製品を使用する人が特定の体位を有するかどうか、彼/彼女が座っているか立っているかなどを示す測定結果を提供することができるセンサである。
【００４２】
好ましくは、センサデバイス2の電池が十分に充電されていないときに警告信号を出すために、電池レベル標識もまた提供される。
【００４３】
さらに、センサデバイス2は、測定プロセスを制御するようにならびに送受信ユニット8、すなわち結合された送信機および受信機、を介する測定された伝導性値に対応するデータの送信を制御ように配置されたプロセッサ7を備える。送受信ユニット8は、本実施形態によれば従来の公衆交換電話網(PSTN)9を備える通信ネットワークとワイヤレス方式で通信するように構成される。そのようなものとして知られる方式で、電話網9は、前記ネットワーク9内で通信することを可能にするために接続された電話線と他のタイプのモバイルおよび固定送信リンク(マイクロ波接続および光ファイバケーブルなど)とで構成される。当業者には理解されるように、そして、図2のいくつかのモバイル基地局10を用いて概略的に示されるように、そのような電話網9は、適切な通信モードまたはプロトコル、たとえばGSM、GPRS、UMTS、2G、3G、LTEなど、に従って配置され得る。
【００４４】
送受信ユニット8は、適宜に、国際移動電話加入者識別番号(IMSI)とセンサデバイス2が電話網9へのアクセスを要求することおよび前記ネットワーク9と通信することを可能にするある種の他の情報とを記憶するSIMタイプ(加入者識別モジュール)の回路を備える。
【００４５】
さらに、電話網9は、インターネットが電話網を介してデータを送信することによってアクセスを可能にする知られているタイプの技術を使用することによって、インターネットネットワーク11と統合されるように配置される。そのような知られている技術は、たとえば、DSL、ADSL、ISDN技術、2G/3G、ワイヤレスインターネット接続などによって構成される。
【００４６】
本実施形態によれば、センサデバイス2は、電話網9に、15分ごとなどの所定の間隔でそれのデータを送信しようとする。実際に、検出器4によって獲得された測定データは、電話網9に、そしてさらに、電話網9およびインターネットネットワーク11と通信するようにやはり配置されたサーバユニット12に送信される。この方式で、測定データは、サーバユニット9に供給される。
【００４７】
何らかの理由で-センサデバイス2から電話網9への通信リンクが確立され得なかった(不十分なネットワークカバレッジまたは他のエラーに起因し得る)場合、センサデバイス2は、測定データを記憶し、後で電話網への通信リンクの起動を試みるように構成される。
【００４８】
一実施形態によれば、センサデバイス2は、それが吸収性商品3に取り付けられるときにのみ、それの記憶された測定データを送信するように構成される。これは、センサデバイス2が吸収性商品3から取り除かれるときに、それが停止されることを意味する。しかし、それが完全に停止される前に、それは、サーバユニット12に任意の記憶された測定データを送信しようと試みる間の所定の期間(たとえば1時間)にわたり「保留状態」に入る。また、センサデバイス2はまた、好ましくは、それが充電器に接続されるときにそれがそれの記憶された測定データの送信をやはり試みるように、構成される。センサデバイス2は、その場合、充電中に、およびそれが別の吸収性製品3に取り付けられる前に、それの記憶されたデータを送信するので、これは便利な解決法である。
【００４９】
一実施形態によれば、サーバユニット12は、測定データが前記サーバユニット12によって受信されたときにセンサデバイス2に受信確認信号を送信するように構成される。これは、センサデバイス2が、受信確認信号が指定された期間内に受信されなかった場合に、サーバユニット12へ測定データのある特定のパケットまたはバーストを再送するように構成され得ることを意味する。これはまたは、センサデバイス2が、前記受信確認信号を実際に受信したときに、メモリが新しい獲得された測定データで上書きされ得るように、メモリユニット6内のメモリ空間を解放するように実際に構成され得ることを意味する。この方式で、メモリユニット6は、比較的小さいサイズで作ることができる。
【００５０】
サーバユニット12は、測定データサーバの機能を果たし、一実施形態によれば第1のデータベース13および第2のデータベース14を備えるデータベース配列に関連して配置される。第1のデータベース13は、サーバユニット12に送信された測定データを供給される。第1のデータベース13は、一実施形態によれば、SQLタイプのデータベースによって構成される。このデータベース13は、結果として、センサデバイス2によって提供される「未加工の」測定データを記憶するように配置される。第2のデータベース14は、適宜に、MSSQLアプリケーションデータベースである。
【００５１】
2つのデータベース13、14は、図2において2つの別個のユニットを用いて示されるが、これらのデータベース13、14は、物理的に、単一のデータベースユニットの形でもよいことに留意されたい。代替で、データベース13、14は、別個の場所に置かれても置かれなくてもよい、さらに2つの異なるユニットに分けることができる。
【００５２】
第1のデータベース13の主な目的は、各センサデバイス2から受信されたものとしての未加工の測定データを記憶することである。これに関連して、「未加工の測定データ」という用語は、いくつかの測定サンプルに対応し、各々が電気特性値、そのサンプルが取得された時間を備えるタイムスタンプ、および、問題のセンサデバイス2の識別コードを含む。
【００５３】
未加工の測定データは、前述の測定値、タイムスタンプおよび識別コードの形で最低限の情報を含むべきである。電池状況に関する情報、送信信号強度、および、センサデバイス2が特定の吸収性商品3にいつ連結されたか(またはそこから切り離されたか)に関する情報など、ある種の追加情報が、任意選択で送信され得る。
【００５４】
図2に示すように、翻訳サービス15は、第1のデータベース13内の未加工の測定データにアクセスするためにおよびこのセットのデータを外部アプリケーションプログラムにおいて使用されるときに適切である形に適合させるように配置されたプログラムまたは機能に対応する。たとえば、タイムスタンプおよび対応するセンサデバイス2の識別コードに各々が関連する、第1のデータベース13に記憶された伝導性の多数の測定値は、問題の吸収性商品3に記憶された液体の近似値として解釈することができる。そのような適合された測定データは、第2のデータベース14に記憶され、図1の参照数字16によって概略的に指示される外部アプリケーションプログラムによって次いで使用され得る。
【００５５】
アプリケーションプログラムの一例として、老人ホームまたは病院の管理者は、多数の患者の失禁状況を分析する必要があることがあることに言及することができる。そのような場合、そのような分析を実行するために、適合された測定データ(第2のデータベース14内の)にアクセスする必要がある、ある種のアプリケーションプログラム16、通常はウェブベースのプログラム、が存在する。
【００５６】
したがって、第2のデータベース14は、前述のタイプのセンサデバイス2を有する失禁パッドを着用している個人に関する失禁状況を分析するために測定データを使用する外部アプリケーションプログラム16によってアクセスされ得る資源として使用可能である。
【００５７】
さらに、管理者などのユーザは失禁関連状況の分析に影響を及ぼし得る情報を手動で追加する可能性がある。たとえば、失禁パッドのユーザが、トイレに行くべきである、あるいは飲むまたは食べるべきである場合、そのような情報を分析に追加することは、それが分析の結果に影響を及ぼすので、有利である。
【００５８】
第1のデータベース13内のデータが適合され、次いで第2のデータベース14に記憶されたとしても、第1のデータベース13内のデータは、前記第1のデータベース13内に記憶されたままの未加工の測定データによって構成されることが指摘されるべきである。これは、たとえばある特定の数のセンサデバイス2に関する、同セットの測定データが、消去または破棄されることなしに異なるアプリケーションプログラム16において使用され得ることを意味する。たとえば、ある特定のアプリケーションプログラム16が、ある特定の期間中に実行される測定を用いることによって何人かの人に関する失禁状況を分析するために使用され得る。同アプリケーションプログラム16は、次いで、元の、未加工の測定データが破壊されることなしに、同様の分析を、しかし別の期間中に、実行するために使用することができる。これは、測定データの分析中に柔軟性をもたせるので、有利である。
【００５９】
これはまた、以前には送信することができなかった(対応するセンサデバイスがサーバユニット12と通信リンクを確立することができなかったという事実によって)が、後で(すなわち、その通信リンクがようやく確立されたときに)送信された、ある特定のセットの測定データが、アプリケーションプログラムを使用することによって分析のために使用される測定データの総量に追加され得ることを意味する。
【００６０】
要約すると、データベース配列は、2つのデータベース13、14、すなわち、各センサデバイス2からの入力の測定データが記憶される第1のデータベース13と、一般に同測定データが記憶される、そしてまた外部アプリケーションプログラムからアクセス可能である、第2のデータベース14とに分割される。2つのデータベース13、14へのデータベース配列のそのような分割の利点は、分析を実行している管理者が同(または異なる)パラメータで新しい分析を再開する必要がある場合に、センサデバイス2からの未加工の測定データが第1のデータベース13でやはり入手可能である、すなわちそれが破壊されない、ということである。
【００６１】
本実施形態によれば、分析のためにおよび失禁に関する様々なレポートを用意するために測定データを使用し得る様々なタイプのユーザが存在する。たとえば、次に関する分析およびレポートが必要とされ得る。
-  特定の個人の膀胱または腸排出の時間、頻度および程度
-  排尿と失禁パッドの新しいものへの交換との間に費やされた期間
-  前述のセンサデバイスを有する失禁製品を各々が使用する何人かの個人に付き添う、たとえば病院の作業スタッフの編成およびスケジューリング
-  1日当たりのある特定の量の水分摂取と失禁との間の関係性の判定
-  たとえば、失禁パッドの異なるブランドおよびタイプを含む比較研究による、ある特定のタイプの失禁パッドが改善された保護を実現するかどうかの調査
-  たとえば、どの失禁製品が購入されるべきかに関する、病院での意思決定プロセスの支援
-  交換中の失禁パッドの水分の程度
-  同吸収性製品が身に付けられたときと取り除かれたときとの間に費やされた時間
-  特定のユーザについて必要とされる失禁関連ヘルスケアの量の測定
【００６２】
本発明の文脈で、「ユーザ」は、ケア施設における労働力の調整役として働く、失禁患者のケアが実行されるのを調査することに関心をもつ人でもよい。そのようなユーザは、図2の参照数字17を用いて指示される。ユーザの別のタイプは、センサデバイス2の機能の最適化と通信ネットワーク、すなわち電話網9およびインターネットネットワーク11、を介する測定データの流れの最適化とに関心のある管理者18でもよい。
【００６３】
センサデバイス2が、それの未加工の測定データを配信するために動作させられたとき、センサデバイス2は、失禁パッドでセンサデバイス2を携行した人から切り離され得る、すなわち、それは、次いで、新しい測定結果を取得するために第2の人と関連付けられ得る。しかし、第1の人に基づくアプリケーションプログラム16における失禁ベースの状況の分析は、第1の人に関するセンサデバイス2からの測定データが、前記未加工の測定データが安全に記憶されたサーバユニット12から送信されたという事実により、まだ継続することができる。
【００６４】
さらに、第1のデータベース13に記憶されたデータは、測定値に関するデータが任意の個人に接続されない、または関連付けられないという意味で「匿名」であるので、細心の注意を払うべき個人情報が、第1のデータベース13から、またはセンサデバイス2からサーバユニット12へのデータの送信中に、アクセスされ得るというリスクはない。それは、測定データが特定の人と実際に関連付けられる第2のデータベース14内のみである。これは、特定の人にセンサデバイス2の識別コードを接続することによって適切に行われる。適切に、識別コードは、センサデバイスの送受信機におけるいわゆるIMEIコードに対応する。個人に連結されたデータへのアクセスが存在するアプリケーション16を介して定義されるユーザインターフェース。また、特定の分析がアプリケーションプログラムを介して実行された後に、測定データと対応する人との間の関係性は取り除かれ得る、すなわち、そうして、データは、そのデータが関連する対応する人から再び「切り離される」。その結果として、データは再び「匿名」になる。
【００６５】
図3は、測定データが本発明を用いて獲得、転送および分析される方式を示す流れ図である。第一に、センサデバイス2が吸収性商品3に取り付けられ、伝導性検出器3が動作するように接続された(図3に示すようなステップ19)後は、センサデバイス2を用いて測定値を獲得するプロセスが開始されることに留意されたい。次のステップは、センサデバイス2が電話網に接触しようとするもの(ステップ20)である。電話網においてデータ通信リンクをセットアップするための原理は、そのようなものとして知られ、このため、それらは本明細書でさらに詳細には説明されない。したがって、センサデバイス2は、電話網9との接続を検査する(ステップ21)。これは、センサデバイス2内の送受信機8を用いて実行される。
【００６６】
通信ネットワーク3への機能する通信リンクが存在するとき(ステップ22)、測定データは、送受信機8を介してセンサデバイス2から転送される(ステップ23)。これは、センサデバイス2のメモリにおいて測定値を取得および記憶するプロセスがサーバユニット12にこれらの値を実際に送信することとは別個のプロセスであることを意味する。センサデバイス2を支持している個人が電話網9のカバレッジの外に移動する状況で、センサデバイス2は、測定値の取得をまだ継続する。そのようなデータは、センサデバイス2からサーバユニット12への通信リンクが再び確立され、動作した後に、サーバユニット12に後から送信される。
【００６７】
測定データがサーバユニット12に送信されたとき、受信確認信号がサーバユニット12からセンサデバイス2に送信される。この受信確認信号の受信時に、センサデバイス2は、新しいデータがメモリユニット6に記憶されることを可能にする(ステップ25)、すなわち、古い測定データが消去される。より正確には、受信確認信号は、解放された測定値が置かれていたメモリ空間を識別し、新しい測定データが前記メモリ空間で記憶され得るように、このメモリ空間が現在「使用可能」であることを知らせる、センサデバイス2における機能を起動する。どのような場合にも、メモリユニット6がいっぱいであるとき、最も古いデータが消去され、新しい測定データと置き換わる。
【００６８】
データベース配列13、14が、サーバユニット12からの測定データの中間記憶装置として機能することが、本発明の原理である。また、センサデバイス2は、サーバユニット12への測定データの送信を開始するのに十分なセンサデバイス2のカバレッジが存在しない場合に、それのデータを記憶する能力を有するので、中間記憶装置の役割を果たす。記憶されたデータは、送信リンクが確立された後は、サーバ12に後から送信され得る。
【００６９】
また、データベース配列13、14は、それを使用して測定データが分析および処理され得るある種のアプリケーションプログラムからアクセスされるように配置される。そのようなアプリケーションプログラムは、調整役18または管理者19などのユーザによって起動されることが期待され得、特定のセンサデバイス2を特定の個人に割り当てることによって開始する。その後、未加工のデータが、測定され、サーバユニット12に、それからデータベース13、14に送られる。そのような調査は、個人の失禁状況のレポートをもたらす。前述したように、このレポートは、個人の失禁状況に関する情報を含む。
【００７０】
ある種の追加のデータが、失禁分析の結果を改善するために、測定データのセットに手動で入力され得る(機能16で、図2参照)ことに留意されたい。そのような手動で入力される情報は、たとえば、トイレの訪問、流動食の摂取、食品の摂取、薬の摂取などに関する情報でもよい。
【００７１】
また、測定調査が終了されるとき、センサデバイス2は、吸収性商品3から切り離すことができ、そして、センサデバイス2は、測定データが外部アプリケーションプログラムによって処理および分析される間に、他の目的に使用することができる。
【００７２】
本発明は、前述の実施形態に限定されないが、次の特許請求の範囲内で変化し得る。たとえば、本センサデバイスは、前記吸収性商品に着脱自在に配置されるように適切に配置される。また、システム内のセンサデバイスの数は、変化してもよく、そのシステムを使用して制御されるべき個人の数に依存する。
【００７３】
原理上、本発明は、赤ちゃんのおむつまたは同様の吸収性製品などの吸収性製品の状態に関するデータを収集および記憶するために使用することができ、すなわち、この場合、失禁患者ではなくおむつを着用する乳児を目的とする。そのような場合、前述と同様の方式でサーバに送信され、データベース配列に記憶される測定データが適切に提供される。そのようなデータは、次いで、前述のプロセスに対応する方式でアプリケーションプログラムによるさらなる分析のために使用され得る。
【符号の説明】
【００７４】
2  センサデバイス
3  吸収性商品
4  検出器
5  導体素子
6  メモリユニット
7  プロセッサ
8  送受信ユニット
9  公衆交換電話網(PSTN)
10  モバイル基地局
11  インターネットネットワーク
12  サーバユニット
13  第1のデータベース
14  第2のデータベース
15  翻訳サービス
16  アプリケーションプログラム
17  ユーザ
18  管理者
【図１】
2016527582.tif 000003
【図２】
2016527582.tif 000004
【図３】
2016527582.tif 000005
【国際調査報告】
2016527582.tif 000006
2016527582.tif 000007
2016527582.tif 000008
2016527582.tif 000009